(57)【特許請求の範囲】
【請求項１】
ユーザ端末（ＵＥ）が物理ダウンリンク制御チャンネル（ＰＤＣＣＨ）を介して転送されたＤＣＩフォーマットを通じてノードＢから各々のＤＣＩを受信し、ＰＤＣＣＨがＵＥ共通サーチスペース（ＵＥ−ＣＳＳ）やＵＥ個別サーチスペース（ＵＥ−ＤＳＳ）の制御チャンネル要素（ＣＣＥ）を通じて転送される通信システムにおける複数のセルに対して通信を可能にするために、ＵＥにダウンリンク制御情報（ＤＣＩ）を提供して単一セルの（ＰＤＣＣＨ）領域を拡張する方法であって、
前記ノードＢが単一ＵＥ−ＣＳＳでＰＤＣＣＨを転送するステップと、
前記ノードＢが複数のＵＥ−ＤＳＳでＰＤＣＣＨを転送するステップと、を含み、
前記単一ＵＥ−ＣＳＳは複数のセルに対して共通であり、前記複数のＵＥ−ＤＳＳは各々複数のセルに対応することを特徴とする方法。
【請求項２】
ユーザ端末（ＵＥ）が物理ダウンリンク制御チャンネル（ＰＤＣＣＨ）を介して転送されたＤＣＩフォーマットを通じてノードＢから各々のＤＣＩを受信し、ＰＤＣＣＨがＵＥ共通サーチスペース（ＵＥ−ＣＳＳ）やＵＥ個別サーチスペース（ＵＥ−ＤＳＳ）の制御チャンネル要素（ＣＣＥ）を通じて転送される通信システムにおける複数のセルに対して通信を可能にするために、ＵＥにダウンリンク制御情報（ＤＣＩ）を提供して単一セルの物理ダウンリンク制御チャンネル（ＰＤＣＣＨ）領域を拡張する方法であって、
前記ノードＢが前記複数のセルの各々に対してセルＩＤ（Ｃｅｌｌ＿ＩＤ）を通知するステップと、
前記複数のセルの各々に対応する複数のＵＥ−ＤＳＳを前記単一セルに対する前記ＵＥ−ＤＳＳのパラメータ及び対応するセルの前記Ｃｅｌｌ＿ＩＤにより各々定義するステップと、
前記複数のＵＥ−ＤＳＳで複数のＰＤＣＣＨを転送するステップと、
を含むことを特徴とする方法。
【請求項３】
ＰＤＣＣＨが転送された前記セルに対する前記ＵＥ−ＤＳＳは単一セル通信及び多重セル通信に対して同一であることを特徴とする、請求項２に記載の方法。
【請求項４】
前記ＤＣＩフォーマットの所定のサブセットはセル指示（ＣＩ）情報要素（ＩＥ）を含み、ＤＣＩフォーマットセットでの残りのＤＣＩフォーマットは前記ＣＩ ＩＥを含まないことを特徴とする、請求項２に記載の方法。
【請求項５】
前記通信システムのダウンリンクに対してＤＣＩを提供するＤＣＩフォーマットで前記ＣＩ ＩＥに対するビット数は前記通信システムのアップリンクに対してＤＣＩを提供するＤＣＩフォーマットで前記ＣＩ ＩＥに対するビット数と相異することを特徴とする、
請求項４に記載の方法。
【請求項６】
前記ＣＩ ＩＥはセルが同一の動作帯域幅を有する場合は前記ＤＣＩフォーマットに含まれ、前記セルが相異する動作帯域幅を有する場合は前記ＤＣＩフォーマットに含まれないことを特徴とする、請求項４に記載の方法。
【請求項７】
単一セルでＵＥ共通サーチスペース（ＵＥ−ＣＳＳ）やＵＥ個別サーチスペース（ＵＥ−ＤＳＳ）の制御チャンネル要素（ＣＣＥ）を通じて転送される物理ダウンリンク制御チャンネル（ＰＤＣＣＨ）を介してノードＢから転送されたＤＣＩフォーマットで複数のセルに対して通信を可能にするダウンリンク制御情報（ＤＣＩ）を受信するユーザ端末（ＵＥ）装置であって、
前記ＵＥ−ＣＳＳ及び前記ＵＥ−ＤＳＳでＣＣＥを識別するＣＣＥ識別ユニットと、
前記単一セル及び複数のＵＥ−ＤＳＳでＰＤＣＣＨを受信する受信機と、を含み、
前記複数のＵＥ−ＤＳＳは、前記複数のセルの各々に対応することを特徴とする、ＵＥ装置。
【請求項８】
前記複数のＵＥ−ＤＳＳの各々は前記単一セルでの通信のための前記ＵＥ−ＤＳＳと同一の構造を有することを特徴とする、請求項７に記載のＵＥ装置。
【請求項９】
前記ＤＣＩフォーマットは循環重複検査（ＣＲＣ）ビットを含み、前記ＵＥ−ＣＳＳで転送されたＤＣＩフォーマットに対して意図されたセルは前記ＤＣＩフォーマットの前記ＣＲＣにセル特定マスクを適用することによって識別されることを特徴とする、請求項７に記載のＵＥ装置。
【請求項１０】
前記複数のセルの各々は、ＵＥ特定方式となっており、前記ノードＢから上位階層シグナリングを通じて前記ＵＥに通知されるセルＩＤを含むことを特徴とする、請求項７に記載のＵＥ装置。
【請求項１１】
単一セルでＵＥ共通サーチスペース（ＵＥ−ＣＳＳ）やＵＥ個別サーチスペース（ＵＥ−ＤＳＳ）の制御チャンネル要素（ＣＣＥ）を通じて転送される物理ダウンリンク制御チャンネル（ＰＤＣＣＨ）を介してノードＢから転送されたＤＣＩフォーマットで複数のセルに対して通信を可能にするダウンリンク制御情報（ＤＣＩ）を受信するユーザ端末（ＵＥ）装置であって、
前記ノードＢにより転送された前記複数のセルの各々に対してセルＩＤ（Ｃｅｌｌ＿ＩＤ）を受信する受信機と、
前記ＵＥ−ＣＳＳ及び前記ＵＥ−ＤＳＳでＣＣＥを識別するＣＣＥ識別ユニットと、
前記単一セル及び前記複数のセルに対応する複数のＵＥ−ＤＳＳでＰＤＣＣＨを受信する受信機と、を含み、
前記複数のＵＥ−ＤＳＳの各々は単一セルに対するＵＥ−ＤＳＳのパラメータ及び対応するセルのＣｅｌｌ＿ＩＤにより識別されることを特徴とする、ＵＥ装置。
【請求項１２】
前記ＰＤＣＣＨが転送される前記セルに対するＤＣＩは、前記セルでＰＤＣＣＨのみにより提供されることを特徴とする請求項１１に記載のＵＥ装置。
【請求項１３】
前記ＤＣＩフォーマットの少なくとも１つはセル指示（ＣＩ）情報要素（ＩＥ）を含み、残りのＤＣＩフォーマットは前記ＣＩ ＩＥを含まないことを特徴とする、請求項１１に記載のＵＥ装置。
【請求項１４】
前記ＣＩ ＩＥ値は各々のＣｅｌｌ＿ＩＤ値から決まることを特徴とする、請求項１３に記載のＵＥ装置。
【請求項１５】
前記ＣＩ値は前記各々のＣｅｌｌ＿ＩＤ値であることを特徴とする、請求項１４に記載のＵＥ装置。
【請求項１６】
前記複数のＵＥ−ＤＳＳの各々は前記単一セルでの通信のための前記ＵＥ−ＤＳＳと同一の構造を有することを特徴とする、請求項１に記載の方法。
【請求項１７】
前記ＤＣＩフォーマットは循環重複検査（ＣＲＣ）ビットを含み、前記ＵＥ−ＣＳＳで転送されたＤＣＩフォーマットに対して意図されたセルは前記ＤＣＩフォーマットの前記ＣＲＣにセル特定マスクを適用することによって識別されることを特徴とする、請求項１に記載の方法。
【請求項１８】
前記複数のセルの各々は、ＵＥ特定方式となっており、前記ノードＢから上位階層シグナリングを通じて前記ＵＥに通知されるセルＩＤを含むことを特徴とする、請求項１に記載の方法。
【請求項１９】
前記ＰＤＣＣＨが転送される前記セルに対するＤＣＩは、前記セルでＰＤＣＣＨのみにより提供されることを特徴とする請求項２に記載の方法。
【請求項２０】
前記ＣＩ ＩＥ値は各々のＣｅｌｌ＿ＩＤ値から決まることを特徴とする、請求項４に記載の方法。
【請求項２１】
前記ＣＩ値は前記各々のＣｅｌｌ＿ＩＤ値であることを特徴とする、請求項２０に記載の方法。
【発明の詳細な説明】
【技術分野】
【０００１】
本発明は無線通信システムに関し、より詳しくは、物理ダウンリンク制御チャンネル（ＰＤＣＣＨ）を単一セルでの通信サポートから多重セルの間での通信サポートに拡張することに関する。
【背景技術】
【０００２】
通信システムは、基地局（ＢＳ、またはノードＢ）からユーザ装備（ＵＥ）への信号転送をサポートするダウンリンク（ＤＬ）とＵＥからノードＢへの信号転送をサポートするアップリンク（ＵＬ）からなる。ＵＥは、通常、端末機または移動局とも呼ばれて、固定または移動可能に構成されることもでき、無線装置、セルラーホン、個人用コンピュータなどで構成されることもできる。ノードＢは、一般的に固定局で構成され、ＢＴＳ（Base Transceiver System）、アクセスポイント、または幾つかの他の類似な用語で呼ばれることもある。
【０００３】
ＤＬ信号は、情報コンデンツ、制御信号、及び基準信号（ＲＳ）を伝達するデータ信号を含み、パイロット信号として知られている。ノードＢは物理ダウンリンク共有チャンネル（ＰＤＳＣＨ）を介してＵＥにデータ情報を転送し、ＰＤＣＣＨを介してＵＥに制御情報を転送する。
【０００４】
または、ＵＬ信号には、データ信号、制御信号、及びＲＳを含む。ＵＥは、物理アップリンク共有チャンネル（ＰＵＳＣＨ）を介してノードＢにデータ情報を転送し、物理アップリンク制御チャンネル（ＰＵＣＣＨ）を介して制御情報を転送する。ＵＥは、ＰＵＳＣＨを介して制御情報を転送することも可能である。
【０００５】
ダウンリンク制御情報（ＤＣＩ）は幾つかの用途に用いられ、ＰＤＣＣＨを介してＤＣＩフォーマットで転送される。例えば、ＤＣＩフォーマットはＵＥでのＰＤＳＣＨ受信のためのＤＬのスケジューリング割当（ＳＡ）提供、ＵＥでのＰＵＳＣＨ転送のためのＵＬのＳＡを提供、またはＵＥからのＰＵＳＣＨ受信やＰＵＣＣＨ転送のための転送電力制御（ＴＰＣ）コマンドの提供のために用いられる。また、ＤＣＩフォーマットは、ページングチャンネル（ＰＣＨ）、ＵＥが転送した任意接近チャンネル（ＲＡＣＨ）に対するノードＢの応答、及びノードＢからの放送制御情報を提供する二次情報ブロック（ＳＩＢ）に対するスケジューリング情報を提供する。ＴＰＣコマンド転送用ＤＣＩフォーマットはＤＣＩフォーマット３として言及し、ＰＣＨ、ＲＡＣＨ応答、またはＳＩＢ転送のためのスケジューリング情報転送用ＤＣＩフォーマットはＤＣＩフォーマット１Ｃとして言及することにする。
【０００６】
典型的に、ＰＤＣＣＨは全体ＤＬオーバーヘッドで主要部分を占めて、達成可能なＤＬセル容量に直接的な影響を及ぼしている。ＰＤＣＣＨオーバーヘッドを低減させるための従来の方法では、ＤＬ転送時間間隔（ＴＴＩ）の間、ＤＣＩフォーマットを転送することに必要なリソースに従ってそのサイズを調整している。ＤＬ転送方法として直交周波数分割多重接続（ＯＦＤＭＡ）を仮定すれば、物理制御フォーマット指示チャンネル（ＰＣＦＩＣＨ）を介して転送された制御チャンネルフォーマット指示（ＣＣＦＩ）パラメータは、ＰＤＣＣＨにより占有されたＯＦＤＭシンボル個数を指示することに利用できる。
【０００７】
図１は、ＤＬ ＴＴＩでのＰＤＣＣＨ転送のための構造を表し、説明の便宜のためにＭ個のＯＦＤＭシンボルを有する１つのサブフレームを含むように図示されている。
【０００８】
図１を参照すると、ＰＤＣＣＨは最初のＮ個のシンボル１１０を占有している。サブフレームで残りのＭ−Ｎ個のシンボルはＰＤＳＣＨ転送１２０に主に用いられることと仮定する。ＰＣＦＩＣＨ１３０は第１シンボルの、リソース要素（ＲＥ）とも呼ばれる、幾つかのサブキャリアに転送される。ＰＣＦＩＣＨは、Ｍ＝１、Ｍ＝２、またはＭ＝３のＯＦＤＭシンボルのＰＤＣＣＨサイズを指示する２ビットを含む。また、幾つかのサブフレームシンボルはＲＳ ＲＥ １４０及び１５０を含み、これはノードＢ転送器アンテナの各々に対する全てのＵＥに共通に図１では２つで図示されている。ＲＳは、ＵＥが自身のＤＬチャンネル媒体に対するチャンネル推定を獲得するようにし、またその他の多様な測定及び機能を実行するようにする。ＰＤＳＣＨは、典型的に残りのＲＥ １６０を占有している。
【０００９】
付加制御チャンネルはＰＤＣＣＨ領域で転送されることもできるが、説明の簡略のために、図１では図示を省略する。例えば、ＰＵＳＣＨ転送のためのハイブリッド自動反復要請（ＨＡＲＱ）をサポートするために、物理ＨＡＲＱ指示チャンネル（ＰＨＩＣＨ）はノードＢにより転送されて、ＰＣＦＩＣＨと同一の方式によりＵＥグループに自分の以前のＰＵＳＣＨ転送がノードＢにより受信されたかを指示することもできる。
【００１０】
ノードＢは、各々のＤＣＩフォーマットを、ＰＤＣＣＨを介して各々コーディング及び転送する。
【００１１】
図２は、ＤＣＩフォーマットを転送するための従来に行われる一連の処理を示すブロック図である。
【００１２】
図２を参照すると、ＤＣＩフォーマットが指定しようとするＵＥの媒体接近制御（ＭＡＣ）階層ＩＤ（または、ＵＥ ＩＤ）は、ＤＣＩフォーマット符号語の循環重複検査（ＣＲＣ）を行なって、基準ＵＥは特定ＤＣＩフォーマットが基準ＵＥを指定することを識別することができる。ＤＣＩフォーマットビット２１０のＣＲＣ ２２０は計算され、次いで排他的ＯＲ（ＸＯＲ）演算子を用いてＣＲＣビットとＵＥ ＩＤ ２４０との間にマスク処理される（２３０）、即ち、ＸＯＲ（０，０）＝０、ＸＯＲ（０，１）＝１、ＸＯＲ（１，０）＝１、及びＸＯＲ（１，１）＝０となる。
【００１３】
マスク処理されたＣＲＣはＤＣＩフォーマットビットに添付され（２５０）、チャンネルコーティングが実行される（２６０）。例えば、畳み込み符号を用いて、次いで行われるレート整合（２７０）を割り当てられたＰＤＣＣＨリソースに行い、その後、インタリービング及び変調を行なう（２８０）。その後、制御信号２９０が転送される。
【００１４】
ＵＥ受信機は、ノードＢ転送器の逆動作を行ってＰＤＣＣＨでのＤＣＩフォーマットがＵＥに指定されたか否かを決定する。
【００１５】
図３は、ＤＣＩフォーマットを受信する従来技術での一連の処理を示すブロック図である。
【００１６】
図３を参照すると、受信された制御信号３１０、即ち、ＰＤＣＣＨは復調され、その結果、ビットがディインタリービングされる（３２０）。ノードＢに適用されたレート整合は復旧され（３３０）、その出力が次いでデコーディングされる（３４０）。デコーディングの後、ＤＣＩフォーマットビットが獲得され（３６０）、ＣＲＣビットを抽出した後（３５０）、ＵＥ ＩＤでＸＯＲ演算子を適用してディマスキングされる（３７０）。その後、ＵＥはＣＲＣテストを行なう（３９０）。もし、ＣＲＣテストを通過すれば、ＵＥはＤＣＩフォーマットが有効なものと見なして、ＰＤＳＣＨ受信（ＤＬ ＤＣＩフォーマット）用またはＰＵＳＣＨ転送（ＵＬ ＤＣＩフォーマット）用パラメータを決定する。もし、ＣＲＣテストを通過できなければ、ＵＥはこのＤＣＩフォーマットを無視する。
【００１７】
ＤＣＩフォーマットの情報ビットは幾つかの情報要素（ＩＥ）に該当し、例えば、ＰＤＳＣＨ受信やＰＵＳＣＨ転送用でＵＥに割り当てられた動作帯域幅（ＢＷ）部分を指示するリソース割当（ＲＡ）ＩＥ、変調及びコーディング方式（ＭＣＳ）ＩＥ、ＨＡＲＱ動作に関するＩＥなどが挙げられる。ＰＤＳＣＨまたはＰＵＳＣＨ転送のためのＢＷユニットは幾つかのＲＥで構成されるものとし、例えば、１２個のＲＥで構成され、物理リソースブロック（ＰＲＢ）として言及される。
【００１８】
ＵＥに対するＰＤＣＣＨは固定及び予め決まった位置で転送されず、予め決まったコーディングレートを有しない。結果的に、ＵＥは各々のサブフレームで多重ＰＤＣＣＨデコーディング動作を行って、ノードＢにより転送されたＰＤＣＣＨのうち、任意のものがＵＥに指定されるか否かを決定する。ＰＤＣＣＨデコーディング動作を行うＵＥをサポートするために、ＰＤＣＣＨ ＲＥが論理的ドメインで制御チャンネル要素（ＣＣＥ）にグルーピングされる。図２に図示された一定の個数のＤＣＩフォーマットビットに対し、各々のＰＤＣＣＨ転送に対するＣＣＥの個数はチャンネルコーディングレートによって変わるようになる。ＵＥは低いか高い信号対干渉及び雑音レート（ＳＩＮＲ）を経るようになるので、ノードＢは所望のＰＤＣＣＨブロックエラーレート（ＢＬＥＲ）を達成するために、低いか高いチャンネルコーディングレートを各々用いることもできる。したがって、低いＤＬ ＳＩＮＲを経たＰＤＣＣＨ転送は、典型的に高いＤＬ ＳＩＮＲを経たＵＥに対するＰＤＣＣＨ転送でより多いＣＣＥを必要とする。または、目的ＢＬＥＲを達成するために、ＲＥの相異する電力ブースティングが用いられる。ＰＤＣＣＨ転送に対する典型的なＣＣＥ集合等級は、例えば１、２、４、及び８個のＣＣＥのように、“ツリー”（tree-based）構造に従うことと仮定する。
【００１９】
ＰＤＣＣＨデコーディングプロセスにおいて、ＵＥは論理的ドメインでＣＣＥを復旧した後、ＵＥ共通検索空間（ＵＥ−ＣＳＳ）での全てのＵＥに対する共通セットのＣＣＥ及びＵＥ専用検索空間（ＵＥ−ＤＳＳ）でのＵＥ特定セットに従って候補ＰＤＣＣＨのための検索空間を決定することもできる。ＵＥ−ＣＳＳは、論理的ドメインで第１のＣＣＥを含む。ＵＥ−ＤＳＳは入力としてサブフレーム番号またはサブフレームでのＰＤＣＣＨ ＣＣＥの全体個数のようなＵＥ共通パラメータと、ＵＥに割り当てられたＩＤ（ＵＥ_ＩＤ）のようなＵＥ特定パラメータを有する疑似ランダム関数によって決定されることもできる。
例えば、ＣＣＥ集合等級Ｌ∈{１，２，４，８}に対し、ＰＤＣＣＨ候補ｍに対応するＣＣＥは＜数式１＞により与えられることができる。
【００２０】
【数１】
0005511105.tif 000002
【００２１】
＜数式１＞で、ＮＣＣＥ，ｋはサブフレーム（ｋ）でのＣＣＥの全体個数を表し、ｉ＝１，…，Ｌ−１，ｍ＝０、…，Ｍ（Ｌ）−１，Ｍ（Ｌ）は各々のＣＣＥ集合等級に対するＰＤＣＣＨ候補個数を表す。Ｌ∈{１，２，４，８}に対するＭ（Ｌ）の例示的な値には、各々{６，６，２，２}が挙げられる。ＵＥ−ＣＳＳに対し、Ｙｋ＝０となる。ＵＥ−ＤＳＳに対し、Ｙｋ＝（Ａ・Ｙｋ−１）ｍｏｄ Ｄとなり、例えば、ここでＹ−１=ＵＥ_ＩＤ≠０、Ａ=３９８２７、及びＤ＝６５５３７のようになる。
【００２２】
ＤＣＩフォーマット３またはＤＣＩフォーマット１Ｃのような多重ＵＥに対するＤＣＩフォーマット変換情報はＵＥ−ＣＳＳで転送される。もし、ＤＣＩフォーマット３及び１Ｃ転送後に充分のＣＣＥが残るようになれば、ＵＥ−ＣＳＳはＰＤＳＣＨ受信またはＰＵＳＣＨ転送のための幾つかのＤＣＩフォーマットをＵＥによりまた転送することもできる。ＵＥ−ＤＳＳは、ＰＤＳＣＨ受信またはＰＵＳＣＨ転送に対してＤＣＩフォーマットを排他的に転送するようになる。セットアップの一例で、ＵＥ−ＣＳＳは１６個のＣＣＥを含み、ＣＣＥを有する２つのＰＤＣＣＨ、またはＣＣＥを有する４のＰＤＣＣＨ、またはＣＣＥを有する１つのＰＤＣＣＨとＣＣＥを有する２つのＰＤＣＣＨをサポートする。ＵＣ−ＣＳＳに対するＣＣＥを、先には論理的ドメインに配置される（インタリービング前）。
【００２３】
図４は、従来のＰＤＣＣＨ転送プロセスを示す。チャンネルコーディング及びレート整合後、図２に示すように、エンコーディングされたＤＣＩフォーマットビットは論理的ドメインでのＣＣＤにマッピングされる。
【００２４】
図４を参照すると、最初の４個のＣＣＥ（Ｌ＝４）であるＣＣＥ１ ４０１、ＣＣＥ２ ４０２、ＣＣＥ３ ４０３、及びＣＣＥ４ ４０４がＤＣＩフォーマット転送のためにＵＥ１に用いられる。次の２つのＣＣＥ（Ｌ＝２）であるＣＣＥ５ ４１１及びＣＣＥ６ ４１２は、ＤＣＩフォーマット転送のためにＵＥ２に用いられる。次の２つのＣＣＥ（Ｌ＝２）であるＣＣＥ７ ４２１及びＣＣＥ８ ４２２は、ＤＣＩフォーマット転送のためにＵＥ３に用いられる。最後のＣＣＥ（Ｌ＝１）であるＣＣＥ９ ４３１は、ＤＣＩフォーマット転送のためにＵＥ４に用いられる。
【００２５】
ＤＣＩフォーマットビットは典型的にセル毎に特定される２進スクランブリングコードを用いてスクランブルされることもでき（４４０）、続いて変調が行われる（４５０）。各々のＣＣＥはミニ−ＣＣＥ（ｍｉｎｉ−ＣＣＥ）にさらに分離される。例えば、３６個のＲＥを含むＣＣＥは９個のｍｉｎｉ−ＣＣＥに分離され、各々４個のＲＥを含むようになる。
【００２６】
インタリービング４６０は、ｍｉｎｉ−ＣＣＥ（４個ＱＰＳＫシンボルのブロック）の間に適用される。例えば、ブロックインタリーバはインタリービングが個別ビットの代りに４組のシンボル（symbol-quadruplet；ｍｉｎｉ−ＣＣＥの４個のＲＥに該当する４個のＱＰＳＫシンボル）に実行されることに用いることもできる。このようなｍｉｎｉ−ＣＣＥのインタリービングの後、結果的なＱＰＳＫシンボル列はＪ個のシンボルだけシフトされることもでき（４７０）、その次に、各々のＱＰＳＫシンボルはＤＬサブフレームのＰＤＣＣＨ領域でのＲＥにマッピングされる（４８０）。したがって、ノードＢ転送器アンテナ４９１、４９２、及びＰＣＦＩＣＨ４９３とＰＨＩＣＨ（図示せず）のようなその他のチャンネルからのＲＳの他に、ＰＤＣＣＨでのＲＥは、ＵＥ１ ４９４、ＵＥ２ ４９５、ＵＥ３ ４９６、及びＵＥ４ ４９７に対するＤＣＩフォーマットに該当するＱＰＳＫシンボルを含む。
【００２７】
レガシー通信をサポートする個別キャリア（または、セル）のＢＷに比べて高いデータレートと、より大きいＢＷでの転送をサポートするために、多重のキャリア（または、セル）の集合が用いられる。例えば、１００ＭＨｚ以上の通信をサポートするために、５個の２０ＭＨｚキャリア（または、セル）集合が用いられる。説明の便宜のために、単一キャリア（または、セル）上のみで動作できるＵＥをレガシーＵＥ（Ｌ−ＵＥ）として言及し、多重キャリア（または、セル）上で動作できるＵＥを進歩したＵＥ（Ａ−ＵＥ）として言及する。
【００２８】
図５は、キャリア集合の原理を表す。１００ＭＨｚの動作ＢＷは、５個のキャリア５２１、５２２、５２３、５２４、及び５２５（簡略のために隣接するキャリア）の集合を含み、各々は２０ＭＨｚのＢＷを有する。図１で、単一キャリア上での通信を行うためのサブフレームと同様に、多重キャリア上での通信のためのサブフレーム構造は、ＰＤＣＣＨ領域（例えば、５３１乃至５３５）及びＰＤＳＣＨ領域（例えば、５４１、５４５）を含む。
【００２９】
図６は、従来の異質的ネットワーク配置を示す図である。
【００３０】
図６を参照すると、マクロ−ノードＢ６１０により囲まれた領域はマイクロ−ノードＢ６２０、６３０により囲まれた領域を含む。マクロ−ノードＢがマイクロ−ノードＢより大きい領域を囲んでいるので、これの転送パワーはマイクロ−ノードＢの転送パワーより実質的に一層大きくなる。結果的に、図６に図示されたようなトポロジーにおいて、マクロ−ノードＢにより転送された信号はマイクロ−ノードＢにより転送された信号と甚だしい干渉を起こすことがある。干渉調整技法がＰＤＳＣＨ転送に適用されてＰＤＳＣＨ信号転送の間にマクロ−ノードＢとマイクロ−ノードＢとは相異するＰＲＢを用いることによって、マクロとマイクロとの間の干渉を緩和することができる。しかしながら、前述したように、全体動作ＢＷに亘ってＣＣＥが疑似ランダムに分布しているので、このような干渉調整はＰＤＣＣＨに対しては必要としない。
【００３１】
マイクロセルでのＰＤＣＣＨ転送に対する干渉を防止するために、全てのＰＤＣＣＨ転送はマクロセル内に存在することができ、キャリア指示子（Carrier Indicator）またはセル指示子（Cell Indicator）ＩＥがＤＣＩフォーマットに導入されてＤＣＩフォーマットがマクロセルまたはマイクロセルに対するものであるかを指示することができる。例えば、２ビットのＣＩ ＩＥはＤＣＩフォーマットがマクロセルに対するものであるか、または３個のマイクロセルのうちの最大のものに対するものであるかを指示することができる。
【００３２】
ＰＤＣＣＨ干渉回避の提供以外に、特定セル内でのＰＤＣＣＨ転送は実用的な理由により回避されることもある。例えば、小さなＢＷを有するセル内ではＰＤＣＣＨ転送は効率的でなく、また各々大きいオーバーヘッドを有するようになるので、ＰＤＣＣＨ転送を回避することが好ましい。また、ＰＤＣＣＨとＵＥ共通ＲＳのようなその他のサポート信号の転送が回避される場合、１つのセル内でＰＤＳＣＨ転送は全てのＤＬサブフレームシンボルに対して最適化できる。
【００３３】
ＣＩ機能性として次の機能を収容することができる。
−単一のセル内でＰＤＣＣＨ転送を通じて多重セルのＵＬでのＰＵＳＣＨスケジューリング
−単一のセル内でＰＤＣＣＨ転送を通じて多重セルのＤＬでのＰＤＳＣＨスケジューリング
−第１セル（マクロセル）及び第２セル（マイクロセル）内でのＰＤＣＣＨ転送
【００３４】
図７は、単一セル内でＰＤＣＣＨ転送を通じて多重セルのＵＬで行われる従来のＰＵＳＣＨスケジューリングを示す図である。
【００３５】
図７を参照すると、単一セル７１０でのＰＤＣＣＨは、２つのセル７２０、７３０のＵＬと関連する。結果的に、セル１とセル２からのＰＵＳＣＨ転送をスケジューリングするＰＤＣＣＨは単一セル内で転送され、ＰＵＳＣＨを転送するセルは１ビットで構成されるＣＩ ＩＥにより識別できる。
【００３６】
図８は、単一セルでのＰＤＣＣＨ転送を通じて多重セルのＤＬで行われる従来のＰＤＳＣＨスケジューリングを示す図である。
【００３７】
図８を参照すると、セル１ ８１０とセル３ ８３０のみがＰＤＣＣＨを転送する。セル２ ８２０に対するスケジューリングはセル１でのＰＤＣＣＨ転送を通じて行なわれて、セル４ ８４０及びセル５ ８５０に対するスケジューリングはセル３でのＰＤＣＣＨ転送を通じて行われる。
【００３８】
図９は、第１セル（マクロセル）と第２セル（マイクロセル）での従来ＰＤＣＣＨ転送を示す図であって、マクロセルとマイクロセルとの間のＰＤＣＣＨ転送での干渉を防止するために行われる。
【００３９】
図９を参照すると、マクロセル及びマイクロセル両方ともは、セル１ ９１０とセル２ ９２０でのＰＤＳＣＨ転送を行うこともできるが、マクロセルはセル１のみでＰＤＣＣＨを転送し、マイクロセルはセル２のみでＰＤＣＣＨを転送する。
【００４０】
ＣＩを用いてＰＤＣＣＨ転送をサポートするための１つの問題はＰＤＣＣＨサイズである。単一セルを有する通信システムで、ＰＤＣＣＨはＯＦＤＭシンボルが最大Ｍ個に限定されていると仮定する。多重セルを有し、単一セル内でＰＤＣＣＨ転送を有する通信システムで、このようなＰＤＣＣＨサイズの限界はスケジューリング制限を引き起こすこともできる。一般に、ＰＤＣＣＨサイズは１つのセル内でのＰＤＣＣＨが多重セル内でのスケジューリングを行う場合、増加される必要がありうる。
【００４１】
固定個数のＣＣＥを含むことと仮定されるＵＥ−ＣＳＳにおいて、追加セルに対応する追加ＰＤＣＣＨを転送できないこともある。
【００４２】
ＵＥ−ＤＳＳにおいて、単一セルのＰＤＣＣＨ領域でＵＥに多重ＤＣＩフォーマットを転送するために変形と拡張を必要とする。
【００４３】
ＵＥが行なう必要があるブラインドデコーディング（blind decoding）動作において、これらの番号はＰＤＣＣＨが単一セル内で転送されるセルの個数によって線形的に調整されることもできる。ＵＥ受信機の複雑度に及ぼす影響を回避するために、このような増加は回避することが好ましい。
【００４４】
したがって、多重セルでのスケジューリングのためにＰＤＣＣＨ転送をサポートするために単一セル内でのＰＤＣＣＨ領域を拡張する必要がある。
【００４５】
単一多重セルのためのＵＥ共通情報を伝達するＰＤＣＣＨを転送可能にするために、セル内でＵＥ−ＣＳＳを拡張する必要がある。
【００４６】
単一セル内で多重セルに亘ってスケジューリングを行うために、単一セルでのＵＥ−ＤＳＳの容量を拡張する必要がある。
【００４７】
また、ＵＥが行なう必要があるブラインドデコーディング回数を減少させる必要がある。
【発明の概要】
【発明が解決しようとする課題】
【００４８】
本発明は、前述した従来技術での限界及び問題点を解決するために設計されたものであり、次の利点を提供する。本発明の一態様は、単一セルでの制御領域を上記単一セルでの通信を行うためのＵＥに対するＤＣＩの転送サポートから多重セルでの通信のために上記ＵＥに対するＤＣＩの転送サポートに拡張する方法及び装置を提供するものである。
【課題を解決するための手段】
【００４９】
本発明の一態様によれば、ＵＥ−ＣＳＳとＵＥ−ＤＳＳとを含み、単一セルに対するＤＣＩ転送をサポートする、従来の単一セルでの制御領域は多重セルの各々に該当する各々の多重ＵＥ−ＣＳＳを含んだり、多重セルの各々に該当する多重ＵＥ−ＤＳＳを含んだり、またはこれら全てを含むことによって、上記多重セルに対するＤＣＩ転送をサポートするように拡張される。
【００５０】
本発明の他の態様によれば、単一セルでの制御領域を通じてセルＩＤ（Ｃｅｌｌ＿ＩＤ）を各々が有する多重セルに対するＤＣＩ転送のサポートは、上記ＵＥに上記多重セルの各々に対するＣｅｌｌ＿ＩＤを通知し、上記単一セルの上記制御領域での上記多重セルの各々に対する個別ＵＥ−ＤＳＳを定義することによって提供され、各々の個別ＵＥ−ＤＳＳは単一セルのみでのＤＣＩ転送におけるＵＥ−ＤＳＳと同一の構造を有し、その位置は付加的に各々のＣｅｌｌ＿ＩＤのみに依存する。ＤＣＩは、ＤＣＩフォーマットを通じて転送され、各々のＵＥ−ＤＳＳでのＤＣＩフォーマットはＣｅｌｌ＿ＩＤから誘導されるＣＩ ＩＥを含むこともできる。
【００５１】
本発明の他の形態によれば、一次セルでの制御領域を通じて多重セルに対するＤＣＩ転送サポートは、上記一次セルを含むセルの第１セットに対応するＤＣＩ転送に対する第１制御領域、上記第１セットのセルに含まれない上記多重セルを含むセルの第２セットに対応するＤＣＩ転送に対する第２制御領域を定義することによって提供される。第１制御領域は一次セルのみに対応するＤＣＩ転送に対する制御領域と同一のリソースを含む。第２制御領域は一次セルでデータ転送に利用できるリソースを含む。
【発明の効果】
【００５２】
前述したように、本発明の好ましい実施形態は、単一セルでの制御領域を上記単一セルでの通信を行うためのＵＥに対するＤＣＩの転送をサポートするものから多重セルでの通信を行うためのＵＥに対するＤＣＩの通信をサポートするものに拡張する方法及び装置を提供することができる。
【図面の簡単な説明】
【００５３】
【図１】ＰＤＣＣＨ転送のための従来の構造を示す図である。
【図２】ＤＣＩフォーマットを転送するために従来に行われる一連の処理を示すブロック図である。
【図３】ＤＣＩフォーマットを受信するために従来に行われる一連の処理を示すブロック図である。
【図４】従来のＰＤＣＣＨ転送プロセスを示す図である。
【図５】キャリア集合の原理を示す図である。
【図６】従来の異質的ネットワーク配置を示す図である。
【図７】単一セルでのＰＤＣＣＨ転送を通じて多重セルのＵＬで行われる従来のＰＵＳＣＨスケジューリングを示す図である。
【図８】単一セルでのＰＤＣＣＨ転送を通じて多重セルのＤＬで行われる従来のＰＤＳＣＨ転送を示す図である。
【図９】第１セル（マクロセル）及び第２セル（マイクロセル）で行われる従来のＰＤＣＣＨ転送を示す図である。
【図１０】本発明の実施形態に従う、ＵＥ特定方式によりＣＩ ＩＥがＤＣＩフォーマットに含まれているか否かをＡ−ＵＥに通知する方法を示す図である。
【図１１】本発明の一実施形態に従う、Ａ−ＵＥが第１のＥ−ＰＤＣＣＨシンボルを決定するために最大ＰＤＣＣＨサイズを仮定するＥ−ＰＤＣＣＨ多重化構造を示す図である。
【図１２】本発明の一実施形態に従う、Ａ−ＵＥが実際ＰＤＣＣＨサイズと第１のＥ−ＰＤＣＣＨシンボルを決定するためにＰＣＦＩＣＨをデコーディングするＥ−ＰＤＣＣＨ多重化構造を示す図である。
【図１３】本発明の一実施形態に従う、相異するセルに対して相異するＣＩ値の割当を示す図である。
【図１４】本発明の一実施形態に従う、多重ＵＥ−ＣＳＳに対するＣＣＥの配置を示す図である。
【図１５】本発明の一実施形態に従う、ＵＥ−ＤＳＳの位置を決定する変数の各々の個別初期化を通じて各々のセルに対する個別ＵＥ−ＤＳＳを生成する動作を示す図である。
【図１６】本発明の一実施形態に従う、可能な値のセットを構成し、このセットのうち、１つの値を示すためにＰＣＦＩＣＨを用いることによって、ＰＤＣＣＨサイズを拡張することを示す図である。
【図１７】本発明の一実施形態に従う、ＵＥ−ＣＳＳサイズのノードＢによる明示的及び暗示的な指示の組合を示す図である。
【発明を実施するための形態】
【００５４】
本発明の上記及びその他の形態、特徴、及び利点は、添付した図面を参照した詳細な次の説明により明確になる。
【００５５】
添付した図面を参照して本発明の多様な実施形態を詳細に説明する。しかしながら、本発明は多くの相異する形態で具現されることもでき、本明細書に記載された実施形態に限定されるものと理解されてはならない。また、これら実施形態は本開示を完壁に理解するために提供され、当業者に本発明の範囲を十分に伝達することができる。
【００５６】
また、本発明は直交周波数分割多重アクセス（ＯＦＤＭＡ）通信システムに関して説明するが、周波数分割多重化（ＦＤＭ）システム、単一−キャリア周波数分割多重アクセス（ＳＣ−ＦＤＭＡ）、ＯＦＤＭ、ＦＤＭＡ、離散フーリエ変換（ＤＦＴ）−拡散ＯＦＤＭ、ＤＦＴ−拡散ＯＦＤＭＡ、ＳＣ−ＯＦＤＭＡ、及びＳＣ−ＯＦＤＭに適用されることもできる。
【００５７】
本発明の一実施形態によれば、Ａ−ＵＥは、例えば、無線リソース制御（ＲＲＣ）シグナリングを通じて半固定（semi-statical）的に構成されており、これを通じてセルはＰＤＳＣＨ受信またはＰＵＳＣＨ転送を行うようになる。これらのセルはＤＬ及びＵＬの間でリンクされて構成されることもできる。ＣＩ ＩＥがＤＣＩフォーマットで含まれて、これはＵＥ特定またはセル特定になることができる。ＤＣＩフォーマットでＣＩ ＩＥがＵＥ特定の場合、各々のＡ−ＵＥはセルで自身の割り当てられたＤＣＩフォーマットがＣＩ ＩＥを含むか否かを上位階層シグナリング（ＭＡＣまたはＲＲＣシグナリング）を通じて通知するようになる。ＤＣＩフォーマットでＣＩ ＩＥがセル特定の場合、ノードＢはＣＩ ＩＥがＤＣＩフォーマットで含まれているか否かを放送することもできる。これら全ての場合に、Ａ−ＵＥによりモニタリングされるＣＩの値がまた含まれる。ＣＩ ＩＥを含むＤＣＩフォーマットは全てＤＣＩフォーマットまたはＤＣＩフォーマットの所定のサブセットになることができる。例えば、ＵＥ−ＣＳＳでのＤＣＩフォーマットはＣＩを含まないこともでき、反面にＵＥ−ＤＳＳでのＤＣＩフォーマットはＣＩを含むこともできる。
【００５８】
図１０は、本発明の一実施形態に従う、ＵＥ特定方式によりＣＩ ＩＥがＤＣＩフォーマットに含まれているか否かをＡ−ＵＥに通知する方法を示す図である。
【００５９】
図１０を参照すると、Ａ−ＵＥは、ＰＤＳＣＨ受信のためのセル１ １０１０、セル２ １０２０、及びセル３ １０３０のＤＬとＰＵＳＣＨ転送のためのセル１ １０４０とセル２ １０５０のＵＬで構成される。ＰＤＣＣＨ転送のセルは上位階層シグナリングを通じてＡ−ＵＤに通知される。
【００６０】
図１０で、ＰＤＣＣＨはセル１ １０６０のみに転送される。例えば、セル１のＤＬとＵＬはマクロセルに対応され、反面、セル２のＤＬとＵＬは第１マイクロセルに対応され、セル３のＤＬとセル２のＵＬは第２マイクロセルに対応できる。ＰＵＳＣＨ転送やＰＵＳＣＨやＰＵＣＣＨ転送に対するＴＰＣと関連したＤＣＩフォーマットはＵＬ ＤＣＩフォーマットとして言及される。残りのＤＣＩフォーマットはＰＤＳＣＨ受信と関連され、ＤＬ ＤＣＩフォーマットとして言及される。
【００６１】
図１０のセットアップにおいて、ＵＥへのＤＬ ＤＣＩフォーマットは２ビットを有するＣＩ ＩＥを含む。例えば、ＤＬにおいて、ＣＩ値“００”、“０１”、及び“１０”は、各々セル１、セル２、及びセル３に対応されることができ、反面、ＣＩ値“１１”は使用されない。同様に、ＵＬにおいて、ＣＩ値“０”及び“１”は、各々セル１とセル２に対応できる。一般に、ＣＩ ＩＥに対するビット個数はＤＬ ＤＣＩフォーマットとＵＬ ＤＣＩフォーマットとの間で相異することができる（例えば、ＵＬ ＤＣＩフォーマットでは任意のＣＩ ＩＥビットを含まないで、ＤＬ ＤＣＩフォーマットではＣＩ ＩＥビットを含む）。ＣＩ値とセルとの間の関連は暗示的に決定されることもできる。例えば、増加するＣＩ値“００”、“０１”、“１０”、及び“１１”はキャリア周波数の増加順序によりセルにマッピングできる。
【００６２】
ＤＣＩフォーマットが指定されたセルを指示するためにＣＩを使用することは、他のＢＷを有するセルでは各々のＤＣＩフォーマットが相異するサイズを有するので必要でないこともある。例えば、１つのセルのみでＰＤＣＣＨが転送される２つのセルにおいて、もし、例えば１つのセルが２０ＭＨｚのＢＷを有し、他のセルが５ＭＨｚのＢＷを有する場合、ＣＩがＤＬ ＤＣＩフォーマットに含まれることは必要ではない。一般に、相異するＢＷに対して相異するＤＣＩフォーマットサイズを有する一次的な理由はＤＣＩフォーマットでのリソース割当（ＲＡ）であり、これはより多い個数のＰＲＢをアドレッシングするので、より大きいＢＷを有するセルに対してより大きいサイズを有しなければならない。
【００６３】
Ｌ−ＵＥに対するＤＣＩフォーマットの転送は、従来のＰＤＣＣＨ構造でサポートされる。同一セルでＰＤＳＣＨ受信またはＰＵＳＣＨ転送を有するＡ−ＵＥに対するＰＤＣＣＨ転送も従来のＰＤＣＣＨ構造でサポートされる。相異するＤＣＩフォーマットを用いることもできるが、ＰＤＣＣＨ転送に対してＡ−ＵＥとＬ−ＵＥとの間には差異点がない。使用の便宜のために、このようなＡ−ＵＥを一次的ＵＥ（Ｐ−ＵＥ）といい、ＰＤＣＣＨ転送を有するセルを一次的セル（Ｐｃｅｌｌ）という。反対に、Ｐｃｅｌｌの以外のセルでＰＤＳＣＨ受信またはＰＵＳＣＨ転送を有するＡ−ＵＥは二次的ＵＥ（Ｓ−ＵＥ）といい、該当セルは二次的セル（Ｓｃｅｌｌ）という。
【００６４】
例えば、図１０で、セル１でＰＤＳＣＨを受信するＵＥはＰ−ＵＥであり、セル１はＰｃｅｌｌである反面、セル２でＰＤＳＣＨを受信するＵＥはＳ−ＵＥであり、セル２はＳｃｅｌｌである。Ａ−ＵＥはセル（ＰｃｅｌｌまたはＳｃｅｌｌ）に従ってＰ−ＵＥ及びＳ−ＵＥ全てになることができる。したがって、Ａ−ＵＥをＰ−ＵＥまたはＳ−ＵＥに分類することは、各々のセルに対して固有であり、Ａ−ＵＥがＰｃｅｌｌではＰ−ＵＥになることができ、ＳｃｅｌｌではＳ−ＵＥになることができるので、セルの間に相異することもできる。
【００６５】
ＳｃｅｌｌでＳ−ＵＥへのＰＤＣＣＨ転送において、従来のＰＤＣＣＨ構造または別途のＰＤＣＣＨ構造を用いることもできる。例えば、従来のＰＤＣＣＨ構造の容量（ＤＬサブフレームの最初のＭ個のＯＦＤＭシンボル）がＰ−ＵＥのスケジューリングにまだ到達できなかった軽負荷のシステムにおいて、Ｓ−ＵＥに対するＤＣＩフォーマットの転送をサポートすることが可能であり、一方、中負荷のシステムにおいては、Ｓ−ＵＥに対してＰＤＣＣＨ転送をサポートするためには追加的なＰＤＣＣＨ構造を必要とすることもできる。
【００６６】
従来のＰＤＣＣＨ構造または拡張ＰＤＣＣＨ（Ｅ−ＰＤＣＣＨ）構造を用いるかは予め決定されたり、ノードＢにより放送シグナリングまたはＵＥ特定の上位階層シグナリングを通知できる。Ａ−ＵＥに対するＰＤＣＣＨ ＣＣＥは、ＰＤＣＣＨまたはＥ−ＰＤＣＣＨ構造となることができるか、でないこともできる。Ａ−ＵＥが特定セルでのＰＤＳＣＨまたはＰＵＳＣＨをスケジューリングするために、ＰＤＣＣＨまたはＥ−ＰＤＣＣＨをモニタリングするか否かは、上位階層シグナリングまたは放送シグナリングを通じて半固定的に構成できる。
【００６７】
もし、ＰｃｅｌｌでＥ−ＰＤＣＣＨがＳｃｅｌｌでのＰＤＳＣＨまたはＰＵＳＣＨをスケジューリングするために用いられる場合には、本発明の一実施形態によれば、次のようなものが考慮される。
【００６８】
Ｅ−ＰＤＣＣＨコンテンツ
Ｅ−ＰＤＣＣＨは拡張されたＰＤＣＣＨを提供し、したがって、同一の性質の情報を転送するようになる。Ｓ−ＵＥに対するＤＣＩフォーマットの以外に、Ｅ−ＰＤＣＣＨはＥ−ＰＤＣＣＨにより提供されたＳｃｅｌｌでのＰＵＳＣＨ転送のためにＰＣＦＩＣＨ（Ｅ−ＰＣＦＩＣＨという）及びＰＨＩＣＨ（Ｅ−ＰＨＩＣＨという）の各々を含むこともできる。Ｅ−ＰＣＨＦＩＣＨとＥ−ＰＨＩＣＨは、ＰＣＨＦＩＣＨ及びＰＨＩＣＨと各々同一の構造を有している。
【００６９】
Ｅ−ＰＤＣＣＨに対する周波数リソース
Ｅ−ＰＤＣＣＨでのＤＣＩフォーマットはＣＣＥで転送されるが、Ｅ−ＰＤＣＣＨはＰＤＳＨＣと直交的に多重化されるので、ＣＣＥ割当はＰＲＢで行われる。Ｅ−ＰＤＣＣＨに対するＰＲＢは半固定的または動的に構成される。半固定的な構成のＥ−ＰＤＣＣＨＰＲＢは、周波数拡散（frequency diversity）を獲得したり、隣接するセルの間での干渉を最小化する干渉調整技法に従ってＰＲＢを選択するために、周波数ドメインで適当な分離を確保している。
【００７０】
Ｅ−ＰＤＣＣＨに対する時間リソース
ＰＤＣＣＨ ＯＦＤＭシンボルの最大個数を仮定して、第１のＥ−ＰＤＣＣＨシンボルは最後の実際ＰＤＣＣＨ ＯＦＤＭシンボルの以後の第１のＯＦＤＭシンボルになることができ、または最後のＰＤＣＣＨ ＯＦＤＭシンボルの以後の第１シンボルになることができる。第１のＥ−ＰＤＣＣＨシンボルが最後の実際ＰＤＣＣＨ ＯＦＤＭシンボルの以後の第１のＯＦＤＭシンボルの場合、Ｓ−ＵＥはＥ−ＰＤＣＣＨの開示を決定するためにＰＣＦＩＣＨをデコーディングする。ＰＤＣＣＨ  ＯＦＤＭシンボルの最大個数を仮定して第１のＥ−ＰＤＣＣＨシンボルが最後のＰＤＣＣＨ ＯＦＤＭシンボルの以後の第１シンボルの場合、最大Ｅ−ＰＤＣＣＨデコーディングレイテンシーが発生するが、ＰＤＣＣＨデコーディングの失敗に繋がる不正確なＰＣＦＩＣＨ検出による誤りは避けるようになる。
【００７１】
最後のＥ−ＰＤＣＣＨシンボルは、固定的、半固定的、または動的に構成できる。固定的構成では、最後のＥ−ＰＤＣＣＨシンボルは、例えばＤＬサブフレームの７番目のシンボルになることができる。半固定的構成では、最後のＥ−ＰＤＣＣＨシンボルはノードＢにより放送チャンネルを介して通知できる。動的構成では、最後のＥ−ＰＤＣＣＨシンボルはＥ−ＰＣＦＩＣＨを介して通知できる。
【００７２】
Ｅ−ＰＤＣＣＨに対するＥ−ＰＣＦＩＣＨにより指示されたＯＦＤＭシンボルの範囲はＰＤＣＣＨに対するＰＣＦＩＣＨにより指示されたＯＦＤＭシンボルの範囲とは相異することができる。例えば、Ｅ−ＰＣＦＩＣＨはＥ−ＰＤＣＣＨに対して０個のＯＦＤＭシンボルを指示することもでき、この場合、Ｅ−ＰＣＦＩＣＨとＥ−ＰＨＩＣＨは、ＰＤＣＣＨで転送されることもできる。
【００７３】
図１１は、本発明の一実施形態に従う、Ａ−ＵＥが第１のＥ−ＰＤＣＣＨシンボルを決定するために最大ＰＤＣＣＨサイズを仮定するＥ−ＰＤＣＣＨ多重化構造を示す。
【００７４】
図１１を参照すると、ＰＤＣＣＨ転送（１１１０）は３個のＰＤＣＣＨ ＯＦＤＭシンボルのうち、２つのＯＦＤＭシンボルを有している。第１のＥ−ＰＤＣＣＨシンボルは最大３個のＯＦＤＭシンボルを仮定すれば、ＰＤＣＣＨ転送の以後の第１のＯＦＤＭシンボルである。したがって、第１のＥ−ＰＤＣＣＨシンボルはＤＬサブフレームの第４のＯＦＤＭシンボルとなる。Ｅ−ＰＣＦＩＣＨ転送（図示せず）には常に第１のＥ−ＰＤＣＣＨシンボルがあり、図１１の構造では、Ｅ−ＰＤＣＣＨは２つのＯＦＤＭシンボル１１２０で転送されることを示す。Ｅ−ＰＤＣＣＨ ＰＲＢ転送（１１３０）は、ノードＢにより搬送シグナリングを通じて半固定的に構成される（例えば、ＳＩＢ）。Ｅ−ＰＤＣＣＨ転送はＰＤＳＣＨ転送で多様なＵＥ１１４０、１１５０、及び１１６０に多重化される。Ｌ−ＵＥへのＰＤＳＣＨ転送は、Ｅ−ＰＤＣＣＨ転送に用いられるＰＲＢで発生することもあり、そうでないこともある。Ｌ−ＵＥは、Ｅ−ＰＤＣＣＨの存在を認知できないので、もし、Ｅ−ＰＤＣＣＨ ＰＲＢでＰＤＳＣＨが割り当てられる場合、このようなＰＲＢを、ＰＤＳＣＨを含むＰＲＢとして処理するようになる。これは、Ｌ−ＵＥに対するＰＤＳＣＨ受信品質を低下させるが、このようなスケジューリングを実行するか否かの判断はノードＢによる。Ａ−ＵＥは、Ｅ−ＰＤＣＣＨ ＰＲＢを認知することができ、自身の各々のＰＤＳＣＨ受信に一致する適当なレートを適用することができる。
【００７５】
図１２は、本発明の一実施形態に従う、Ａ−ＵＥが実際ＰＤＣＣＨサイズと第１のＥ−ＰＤＣＣＨシンボルを決定するためにＰＣＦＩＣＨをデコーディングするＥ−ＰＤＣＣＨ多重化構造を示す。
【００７６】
図１２を参照すると、ＰＤＣＣＨ転送（１２１０）は２つのＯＦＤＭシンボルを有している。第１のＥ−ＰＤＣＣＨシンボルは第３のＯＦＤＭシンボルとなり、これはＰＤＣＣＨ転送の以後の第１のＯＦＤＭシンボルである。Ｅ−ＰＣＦＩＣＨ転送（図示せず）は常に第１のＥ−ＰＤＣＣＨシンボルとなり、図１２に図示された構造では、Ｅ−ＰＤＣＣＨが２つのＯＦＤＭシンボル１２２０で転送されることを示している。
【００７７】
もし、多重Ｓｃｅｌｌに対するＤＣＩフォーマット転送がＥ−ＰＤＣＣＨを介して行われる場合、本発明の一実施形態に従って、各々のＳｃｅｌｌが別個のＣＣＥセットを有するよりは、全てのＥ−ＰＤＣＣＨ ＣＣＥが全てのＳｃｅｌｌに対して共同に考慮される。したがって、Ｅ−ＰＤＣＣＨで単一セットのＣＣＥのみ存在し、各々のＳ−ＵＥは自身のＵＥ−ＣＳＳとＵＥ−ＤＣＣを有することもできる。これは、各々がＥ−ＰＤＣＣＨで相異するＳｃｅｌｌに対応する多重Ｅ−ＰＣＦＩＣＨの代りに、単一のＥ−ＰＣＦＩＣＨの転送を可能にする。
【００７８】
ＵＥ−ＣＳＳ
第１代替形態において、Ｓ−ＵＥに対するＵＥ−ＣＳＳは個別的に構成され、ＣＣＥの個数でのそのサイズはノードＢにより放送されることもできる。例えば、ＵＥ−ＣＳＳサイズは所定の４個の値のうちの１つを取ることもでき、ノードＢはこの値（例えば、ＰｃｅｌｌでＳＩＢを通じて）を指示したり、ＵＥ−ＣＳＳサイズがＫ個のＣＣＳの基本サイズの１、２、３、または４倍であることを指示するために２ビットを放送するようになる。Ｅ−ＰＤＣＣＨでのＵＥ−ＣＳＳに対するＣＣＥは先に、即ち、ＵＥ−ＤＳＳに対するＣＣＳより先に配置される。一旦Ｓ−ＵＥがＵＥ−ＣＳＳサイズの通知を受ければ、各々のＳｃｅｌｌに対応するＣＣＥを決定する必要がある。
【００７９】
第１代替形態に対する第１オプションでは、Ｓ−ＵＥはＵＥ特定のＣＩ構成に対するＳｃｅｌｌの順序を、上位階層シグナリングを通じて、またはセル特定のＣＩ構成に対するシステム情報の一部として通知を受けるようになる。これは、自身のＤＣＩフォーマットに対してＣＩ値の通知を受けるＳ−ＵＥに相当する。ＣＩが存在しない場合、例えば、セルが相異するＢＷを有する場合、その順序はＢＷ減少する順序になることもできる。例えば、より大きいＢＷが順序上、先に出るようになる。
【００８０】
図１３は、本発明の一実施形態に従う、相異するセルに対する相異するＣＩ値を割り当てることを示す図である。
【００８１】
図１３を参照すると、マクロセル１３１０のＵＥ−ＣＳＳに対するＣＣＥはＰＤＣＣＨに配置される。マイクロセル１ １３２０に対するＵＥ−ＣＳＳのＣＣＥは先にＥ−ＰＤＣＣＨ（ＣＩ＝１）に順序するようになり、マイクロセル２ １３３０に対するＵＥ−ＣＳＳのＣＣＥはその次にＥ−ＰＤＣＣＨ（ＣＩ＝２）に順序する。一旦、ＣＩ値がＳｃｅｌｌに割り当てられ、Ｓ−ＵＥのＵＥ−ＣＳＳのＣＣＥは論理的ドメインで同一の順序に配置される。
【００８２】
図１４は、本発明の一実施形態に従う、多重ＵＥ−ＣＳＳに対するＣＣＥの配置を示す図である。
【００８３】
図１４を参照すると、Ｓ−ＵＥ（マイクロセル１または第１セットのＳ−ＵＥ、ＣＩ＝１）の第１のＵＥ−ＣＳＳに対するＬ１ ＣＥが先に配置され（１４１０）、次にＳ−ＵＥ（マイクロセル２または第２セットのＳ−ＵＥ、ＣＩ＝２）の第２のＵＥ−ＣＳＳに対するＬ２ ＣＥが配置される（１４２０）。ＵＥ−ＤＳＳに対するＣＣＥの配置（１４３０）は論理的ドメインでＵＥ−ＣＳＳに対するＣＣＥの配置の以後になされる。図１４で、Ｌ１及びＬ２と表記された、相異するＣＩ値に対してＳ−ＵＥに対するＵＥ−ＣＳＳのＣＣＥ個数は、全体ＵＥ−ＣＳＳサイズから暗示的に決定されることもでき、またはノードＢにより放送シグナリングを通じて通知されることもできる。または、Ｓ−ＵＥのＵＥ−ＣＳＳに対するＣＣＥの個数は、各々のＳｃｅｌｌでＢＷに作用するＤＬまたはＵＬに関わらず全てのＣＩ値と同一であってもよい。
【００８４】
各々のＵＥ−ＣＳＳに対し、Ｓ−ＵＥは全体ＵＥ−ＣＳＳに割り当てられたＣＣＥ全体セットのサブセットを検索するため、ブラインドデコーディング動作（ＢＤＯ）の関連個数を減少させるためにＳ−ＵＥのＵＥ−ＣＳＳに対するＣＣＥを図１４に図示したような順序通り配置する。また、Ｓ−ＵＥに対してＵＥ−ＣＳＳを順に配置することによって、各々のＵＥ−ＣＳＳで転送されたＤＣＩフォーマットにＣＩ ＩＥを含める必要がなくなる。
【００８５】
第１代替形態に対する第２オプションにおいて、Ｓ−ＵＥに対する個別ＵＥ−ＣＳＳの順序は適用されず、各々のＣＣＥは全体ＵＥ−ＣＳＳに対するＣＣＥの全体セット上に分布されることもできる。その後、ＤＣＩフォーマットにＣＩを含めることが行なわれ、ＤＣＩフォーマットに対するＵＥ検索プロセスが後述するＳ−ＵＥのＵＥ−ＤＳＳに対して行われる。
【００８６】
第２代替形態において、ＵＥ−ＣＳＳはそのまま維持され、Ｓ−ＵＥはＳｃｅｌｌでＤＣＩフォーマット３及びＤＣＩフォーマット１Ｃの転送に対してＰ−ＵＥとして取扱され、ＵＥ−ＣＳＳに対する相異するカテゴリーへのＵＥを差別化しない。
【００８７】
ＰＣＨはＰＤＣＣＨ転送（Ｐｃｅｌｌ）で、セル内で全てのＳ−ＵＥに転送される。
【００８８】
ＰＤＣＣＨ転送（Ｓｃｅｌｌ）無しでセルから同期化信号が転送される場合は仮定せず、Ｓ−ＵＥはＰＤＣＣＨ転送（Ｐｃｅｌｌ）でセルの同期化信号を獲得する。その後、ＲＡＣＨプロセスがＰｃｅｌｌを通じて完了され、ＰＤＣＣＨ転送（Ｓｃｅｌｌ）無しでセルに対応して追加的なＲＡＣＨ応答シグナリングが必要でない。
【００８９】
ＰＤＣＣＨ転送（Ｓｃｅｌｌ）を行わないセルに対するＳＩＢは、ＳＩＢ転送に対応するセルを指示するためにＤＣＩフォーマット１Ｃに相異するＣＲＣマークを用いてＰＤＣＣＨ転送（Ｐｃｅｌｌ）を行うセル（マクロセルなど）から転送されることもできる。
【００９０】
ＤＣＩフォーマット３は、ＰＤＣＣＨ転送（Ｐｃｅｌｌ）を行うセルでのＵＥ及びＰＤＣＣＨ転送（Ｓｃｅｌｌ）を行うセル（マイクロセル）でＵＥに対応するＴＰＣコマンドを多重化する。
【００９１】
したがって、Ｐ−ＵＥは単一セルを含む逆方向互換可能なシステムでのように、ＰＤＣＣＨでＤＣＩフォーマット転送に対する自身らのＵＥ−ＣＳＳを有するようになる。Ｓ−ＵＥにおいて、第１代替形態で説明したように、新たなＵＥ−ＣＳＳがＥ−ＰＤＣＣＨで定義されたり、または追加的なＵＥ−ＣＳＳが定義されず、第２代替形態で説明したように、全てのＵＥ（Ｐ−ＵＥ及びＳ−ＵＥ）はＰＤＣＣＨで同一ＵＥ−ＣＳＳを利用するようになる。
【００９２】
ＵＥ−ＤＳＳ
ＵＥ−ＤＳＳ及び単一セル動作において、予め定義された表記を用いて、ＰＤＣＣＨ候補ｍに対応するＣＣＥは＜数式２＞により与えられる。
【００９３】
【数２】
0005511105.tif 000003
【００９４】
＜数式２＞で、ＮＣＣＥ，ｋはサブフレームｋでのＣＣＥ全体個数を表し、Ｉ＝０，…，Ｌ−１であり、ｍ＝０，…，Ｍ（Ｌ）−１、ここで、Ｍ（Ｌ）はＵＥ＝ＤＳＳでの候補の個数を表す。
【００９５】
Ｅ−ＰＤＣＣＨ（または、多重セルに対するＤＣＩフォーマットの転送をサポートする場合、ＰＤＣＣＨ）で同一のＵＥ−ＤＳＳを共有していることと仮定しているので、上記ＵＥ−ＤＳＳ構造は相異するセル（ＰｃｅｌｌまたはＳｃｅｌｌ）に対するＵＥ−ＤＳＳを識別するようになっている。
【００９６】
固有のＵＥ−ＤＳＳを提供するために、本発明の一実施形態に従うＵＥ−ＩＤの以外に、ＵＥ−ＤＳＳはＣｅｌｌ＿ＩＤにも依存するようになる。これは、ＤＣＩフォーマット転送がＵＥ−ＤＳＳからＣＣＥの非利用性によって遮断される可能性を実質的に減少させることができる。このような遮断可能性の減少は、ＰＤＳＣＨまたはＰＵＳＣＨスケジューリングの発生可能性を増加させるようになるので、各々のＤＬまたはＵＬシステム容量（throughput）を改善し、動作の質及び信頼性を向上させるようになる。
【００９７】
Ｃｅｌｌ＿ＩＤは各々のセルに割り当てられたＣＩ値になることもできる。例えば、ＵＥは上位階層シグナリングを通じてＣｅｌｌ＿ＩＤの通知を受けるようになることもできる。少なくともセルが同一のＢＷ（及び各々のＣＩが定義）になる時、Ｃｅｌｌ＿ＩＤは各々のＣＩと同一でありうる。ＵＥは、各々のセルと初期同期化の間Ｃｅｌｌ＿ＩＤを獲得することもでき、または、もしセルが同期化信号を転送しない場合、ＵＥは同期化の後に同期化信号を転送するセルから上位階層シグナリングを通じて各々のＣｅｌｌ＿ＩＤを獲得することもできる。また、Ｃｅｌｌ＿ＩＤはＵＥ特定になることもでき、各々のＵＥに上位階層シグナリングを通じて通知されることもできる。例えば、３個のセルに対して、３個の相異する各々のＣｅｌｌ＿ＩＤを有する代わりに、各々のＵＥに対するＣｅｌｌ＿ＩＤは、ＵＥが構成されるセルの個数によって変更できる。もし、ＵＥ１がセル１とセル２で構成される場合、各々のＣｅｌｌ＿ＩＤはＣｅｌｌ＿ＩＤ１とＣｅｌｌ＿ＩＤ２になることができる。もし、ＵＥ２がセル２とセル３で構成される場合、各々のＣｅｌｌ＿ＩＤはＣｅｌｌ＿ＩＤ１とＣｅｌｌ＿ＩＤ２になることもできる。
【００９８】
次の例は、ＤＣＩフォーマットに対する転送遮断が発生することを例示したものである。ＵＥに対するＤＣＩフォーマットが４個のＣＣＥで転送され、このＣＣＥ集合レベルに対するＵＥ−ＤＳＳで２つの候補のみ存在する場合、多くても２つのセルに対するＤＣＩフォーマットの転送がサポートできる（または、ＰＤＳＣＨ受信及びＰＵＳＣ転送に対して１つのセル）。また、インタリービングを通じてランダムに行われるので、相異するＵＥに対するＵＥ−ＤＳＳは重畳されたＣＣＥを含むこともでき、このような理由により単一セルに対してのみＤＣＩフォーマット転送をサポートできるようになる。
【００９９】
【数３】
0005511105.tif 000004
【０１００】
図１５は、本発明の一実施形態に従う、変数ＹｋをＣｅｌｌ＿ＩＤに初期化することを示す。
【０１０１】
図１５を参照すると、２進ＵＥ_ＩＤ １５１０及び２進Ｃｅｌｌ＿ＩＤ １５２０は、２進合算器１５３０により合算されて変数Ｙｋの初期値Ｙｋ−１ １５４０を提供し、各々のセルに対応するＤＣＩフォーマットに対するサブフレームで、ＵＥ−ＤＳＳでのＣＣＥをランダムに抽出する。１６ビットＵＥ ＩＤを仮定すれば、必要条件Ｙ−１≠０は小さい個数のＵＥ_ＩＤが用いられることを防止し、ＤＣＩフォーマットが単一セルで転送されるセルの全体個数が１０個未満であることを考慮して見れば、２１６＝６５５３６個の利用可能なＵＥ ＩＤに影響を及ぼされない。また、変数ＹｋがＣｅｌｌ＿ＩＤに依存するので、Ｙｋc（ｃ＝０，１，．．．，Ｎｃ−１）として表記されなければならず、ここでＮｃは各々のＤＣＩフォーマットが単一セル（Ｐｃｅｌｌ）で伝えられるセルの個数を示す。
各々のセルに対する別個のＵＥ−ＤＳＳを構築する本発明の他の実施形態において、セルｃに対するＣＩまたはＣｅｌｌ＿ＩＤの関数ｆ（ｃ）と表記する時、各々のＵＥ−ＤＳＳは＜数式４＞により獲得される。
【０１０２】
【数４】
0005511105.tif 000005
【０１０３】
に対する１つの条件には、ＰｃｅｌｌでのＰＤＳＣＨ／ＰＵＳＣＨに対応するＵＥ−ＤＳＳはＬ−ＵＥに対して定義されなければならないということが挙げられる。これは、Ｐｃｅｌｌの以外の全てのセルが活性化されない時にレガシー動作を維持することに有用である。したがって、もし、ｃＰがＰｃｅｌｌに対してＣＩまたはＣｅｌｌ＿ＩＤの場合、ｆ（ｃＰ）＝０となる。
【０１０４】
ｃＰ以外のＣＩまたはＣｅｌｌ＿ＩＤ値ｃに対し、ｆ（ｃ）はｆ（ｃ）＝１，２，…，７（３ビットＣＩと仮定）に決定されることもでき、割り当てられたＣＩ値に基づいて昇順に順位が決定できる。Ａ−ＵＥのＵＥ−ＤＳＳに対する自治遮断確率を減少させるために活性化されたセルのみ考慮される。Ｓｃｅｌｌ（Ｐｃｅｌｌ除外）に対する正確な値は連続的な値であり、Ｐｃｅｌｌに対して条件ｆ（ｃＰ）＝０を満足しさえすれば重要でない。例えば、ｃＰ以外のＣＩまたはＣｅｌｌ＿ＩＤ値ｃに対し、関数ｆ（ｃ）はｆ（ｃ）＝−３、−２、−１、１、２、３に決定されることもでき、または一般的に正の整数と負の整数値の割当をｆ（ｃＰ）＝０を中心に連続的な方式により交互に行なうことによって決定されることもできる（１から始まって−１、２、−２等に繋がる）。
【０１０５】
多重ＳｃｅｌｌでスケジューリングのためのＤＣＩフォーマットの転送はＡ−ＵＥが実行するＢＤＯの個数を増加させる。これら可能なＤＣＩフォーマットの位置の何らの制限無しでＢＤＯの個数の増加はＳｃｅｌｌの個数と線形的な関係である。これはＵＥ受信機の複雑度を増加させ、またＣＲＣテストの誤り可能性を増加させる（結果的に、ＵＥは元来意図したＤＣＩフォーマットを正確に認識できなくなる）。
【０１０６】
ＢＤＯの個数を減少させるために幾つかの異なる形態に設計される場合がある。基準ＵＥに対する多重ＵＥ−ＤＳＳでのＤＣＩフォーマットの可能な位置が全て相互依存的な場合を考慮することができる。ＢＤＯの個数の減少とＣＲＣテスト以外に、これら設計はＵＥが構成されるセルの個数に関わらず、基本単一セルＵＥ−ＤＳＳデコーディングプロセスに対して同一の受信機アーキテクチャ（多数台のデコーダ）を維持するようになる。
【０１０７】
第１設計では、基準ＵＥに対する全てのＤＣＩフォーマットで同一集合レベルＬを用いる。  
【０１０８】
【数５】
0005511105.tif 000006
【０１０９】
したがって、ＵＥセルｃ１に対するＤＣＩフォーマットを識別した後、追加的なＢＤＯ（ｎ＝０，…，Ｍ（Ｌ）−１）を実行してセルｃ２に対して１つの候補を保有しているか否かを決定する。
【０１１０】
【数６】
0005511105.tif 000007
【０１１１】
したがって、ＵＥがセルｃ１に対してＰＤＣＣＨを識別した後、可能な集合レベルの個数と同一の追加ＢＤＯの個数を実行してセルｃ２に対するＰＤＣＣＨを保有するかを決定するようになる。本発明の一実施形態によれば、追加ＢＤＯの個数は４であり、したがって、可能な集合レベルは{１，２，４，８}となる。このプロセスは、追加セルに直接拡張できる。
【０１１２】
第３設計は、第１及び第２設計の組合により構成され、基準セル（Ｐｃｅｌｌ）でＰＤＣＣＨに用いられた集合レベルが、ＵＥが構成される残りのセル（Ｓｃｅｌｌ）に対するＰＤＣＣＨの可能な集合レベルに影響を及ぼすようになる。例えば、残りのセルに対するＰＤＣＣＨに用いられた集合レベルは基準セルに対するＰＤＣＣＨに用いられたものに比べて同一または１つ大きい値を有することもできる（もし、Ｌ＝８が基準セルに用いられる場合、Ｌ＝８がまた残りのセルに用いられる）。付加的に、基準セルに対するＰＤＣＣＨの位置は残りのセルに対する可能なＰＤＣＣＨ位置に影響を及ぼす。例えば、もし、基準セルに対するＰＤＣＣＨ位置が奇数または偶数の場合、残りのセルに対する潜在的なＰＤＣＣＨの位置また各々奇数または偶数となる。
【０１１３】
【数７】
0005511105.tif 000008
【０１１４】
第３設計に対する追加的な制限が可能であり、例えば、全てのセルで用いられる同一ＣＣＥ集合レベルを要求することによって制限できる。第３設計で説明したように、第１及び第２設計に対する原理を組み合わせて潜在的な組合を含むことができる。
【０１１５】
前述したＰＤＣＣＨ拡張は現存する単一セル通信と両立できる。しかしながら、ＰＤＣＣＨ拡張は両立が不可能な方式によりサポートされることもできる。このような場合、本発明の一実施形態によれば、ＰＣＦＩＣＨ値の相異する解釈とＵＥ−ＣＳＳ及びＵＥ−ＤＳＳの相異する構成が適用されることもできる。ＰＣＦＩＣＨがＰＤＣＣＨサイズに対して１、２、または３個のＯＦＤＭシンボルのように３個の所定の値を伝達するレガシーシステムとは異なり、非両立ＰＤＣＣＨ拡張に対するＰＣＦＩＣＨはより多い値を伝達することができ、これら値は予め定まらず、半固定的に変更できる。ノードＢは可能な構成セットのうち、ＰＤＣＣＨサイズ構成を放送することもでき、またＰＣＦＩＣＨはＰＤＣＣＨサイズの放送された構成から１つのサイズを単純に指示することもできる。例えば、ノードＢはＯＦＤＭシンボルの数で{１，２，３，４}、{２，３，４，５}、{３，４，５，６}、及び{４，５，６，７}のうちの１つをＰＤＣＣＨサイズ構成に対して指示することもできる。ノードＢにより放送された構成内でＰＤＣＣＨサイズをＵＥに通知するためにＰＣＦＩＣＨで２ビットが利用できる。
【０１１６】
図１６は、本発明の一実施形態に従う、可能な値のセットを構成し、このセットで１つの値を指示するためにＰＣＦＩＣＨを用いることによって、ＰＤＣＣＨサイズを拡張することを図示する。
【０１１７】
図１６を参照すると、ノードＢは２ビット、例えば、“１０”を放送して{３，４，５，６}シンボルのＰＤＣＣＨサイズ構成を指示するようになる（１６１０）。ＰＤＣＣＨサイズ構成は、ノードＢが例えば第１サブフレームＳのように、これを放送した後、所定のサブフレームで発効されてmodulo（Ｓ、４０）＝０のようになることもできる。各々のサブフレームで転送されたＰＣＦＩＣＨは、例えば第３要素（１６２０）のようなＰＤＣＣＨサイズ構成セットから要素を指示する。ＵＥは放送されたＰＤＣＣＨサイズ構成及びＰＤＦＩＣＨ値（１６３０）全てに基づいてＰＤＣＣＨサイズを決定する。
【０１１８】
全体ＰＤＣＣＨサイズの構成以外に、ＵＥ−ＣＳＳまたはＵＥ−ＤＳＳの個別サイズも構成できる。例えば、ノードＢはＵＥ−ＣＳＳサイズを放送することもできる。結果的に、Ａ−ＵＥはＵＥ−ＣＳＳサイズが４個の所定の値のうちの１つであることが分かり、ノードＢはこの値を指示したり、ＵＥ−ＣＳＳサイズが１６個のＣＣＥの基本ＵＥ−ＣＳＳサイズの１、２、３、または４倍であることを、２ビットを用いて放送するようになる。ＵＥ−ＣＳＳサイズの指示は、ＰＤＣＣＨ構成サイズに基づいて暗示されることもできる。例えば、もしノードＢが図１６での第３のＰＤＣＣＨ構成サイズを放送する場合、Ａ−ＵＥはＵＥ−ＣＳＳが１６個のＣＣＥの基本ＵＥ−ＣＳＳサイズに３倍であることを識別することができる。即ち、ＵＥ−ＣＳＳサイズは４８個のＣＣＥであることを識別することができ、または例えば{１６，２８，３６，４４}個のＣＣＥセットのようにＵＥ−ＣＳＳサイズの構成セットで第３要素により決まる。
【０１１９】
図１７は、本発明の一実施形態に従う、ノードＢがＵＥ−ＣＳＳサイズをＡ−ＵＥに明示的及び暗示的に指示することを図示する。
【０１２０】
図１７を参照すると、明示的な指示において、ノードＢは例えばＳＩＢ通信のような通信チャンネルを介してＡ−ＵＥにＵＥ−ＣＳＳサイズを通知する。例えば、ノードＢは“１０”値を有する２ビットを転送して３６個のＣＣＥを指示し、４個の可能なＵＥ−ＣＳＳサイズのセットで３番目の要素となる（１７１０）。放送情報の受信時、Ａ−ＵＥは前述した通り、レガシーシステムと互換可能なＰＤＣＣＨ拡張のための各々のセルに対してＵＥ−ＣＳＳを決定する（１７２０）。暗示的な指示において、ノードＢは図１７に図示されたように、ＰＤＣＣＨサイズ構成（例えば、ＳＩＢでの構成）を放送し、このような構成に基づいてＡ−ＵＥは各々のセルに対するＵＥ−ＣＳＳサイズ及びＵＥ−ＣＳＳを決定する。例えば、ノードＢは第３のＰＤＣＣＨサイズ構成を放送し（１７３０）、その後、Ａ−ＵＥはＵＥ−ＣＳＳサイズを３６個のＣＣＥに決定する（１７４０）。
【０１２１】
本発明の特定の実施形態を参照して本発明を表して説明したが、添付した請求項に記載されたように、本発明の趣旨と範囲を逸脱しない範囲で形態と詳細において多様な変化がなされることができ、その均等物であることを当業者は理解することができる。
【図１】
0005511105.tif 000009
【図２】
0005511105.tif 000010
【図３】
0005511105.tif 000011
【図４】
0005511105.tif 000012
【図５】
0005511105.tif 000013
【図６】
0005511105.tif 000014
【図７】
0005511105.tif 000015
【図８】
0005511105.tif 000016
【図９】
0005511105.tif 000017
【図１０】
0005511105.tif 000018
【図１１】
0005511105.tif 000019
【図１２】
0005511105.tif 000020
【図１３】
0005511105.tif 000021
【図１４】
0005511105.tif 000022
【図１５】
0005511105.tif 000023
【図１６】
0005511105.tif 000024
【図１７】
0005511105.tif 000025